【手続補正書】
【提出日】平成16年7月2日(2004.7.2)
【手続補正１】
【補正対象書類名】明細書
【補正対象項目名】請求項４
【補正方法】変更
【補正の内容】
【請求項４】
前記サンプリング位相検波器は前記高調波を生成するステップリカバリダイオードと、前記高調波と前記発振信号とを混合すると共に位相比較を行う直列接続のミキサダイオード対とを有し、前記ステップリカバリダイオードと前記ミキサダイオード対との各一端同士、及び各他端同士をそれぞれ前記基準発振信号の特定の高調波に共振する共振回路によって結合して前記特定の高調波のみを前記ミキサダイオード対に注入し易くしたことを特徴とする請求項２又は３に記載のアナログ位相同期発振器。
【手続補正２】
【補正対象書類名】明細書
【補正対象項目名】０００２
【補正方法】変更
【補正の内容】
【０００２】
【従来の技術】
従来のアナログ位相同期発振器を図５によって説明すると、基準発振器２１は水晶振動子２２を備え、例えば、１２０ＭＨｚの基準発振信号はサンプリング位相検波器２３の平衡不平衡変換トランス２３ａの不平衡側に入力される。平衡不平衡変換トランス２３ａの平衡側にはステップリカバリダイオード２３ｂが並列に接続され、その両端は抵抗２３ｃ、２３ｃ及びコンデンサ２３ｄ、２３ｄによって接地される。また、ステップリカバリダイオード２３ｂにはミキサダイオード対２３ｃが並設される。ミキサダイオード対２３ｅは同一特性の二つのダイオードが同じＰＮ接合方向で直列に接続されて構成され、コンデンサ２３ｆ、２３ｆによってステップリカバリダイオードに並列に結合される。そして、ミキサダイオード対２３ｅの両端がそれぞれ抵抗２３ｍ、２３ｍによって接地される。
【手続補正３】
【補正対象書類名】明細書
【補正対象項目名】０００５
【補正方法】変更
【補正の内容】
【０００５】
以上の構成で、ステップリカバリダイオード２３ｂからは基準発振信号の高調波が発生し、コンデンサ２３ｆ、２３ｆを介してミキサダイオード対２３ｅに入力される。また、電圧制御発振器２５から出力された発振信号も結合コンデンサ２６を介してミキサダイオード対２３ｅに入力される。すると、ミキサダイオード対２３ｅでは７５倍の高調波の位相と９ＧＨｚの発振信号の位相とが所定の関係となったとき（同一周波数となって）に二つのダイオードの接続点の電圧が０ボルトとなり、電圧制御発振器２５には所定の制御電圧が供給され、一定の９ＧＨｚで発振する。もし、電圧制御発振器２５の発振周波数が何らかの原因で変化すれば、ミキサダイオード対２３ｅの接続点の電圧が正又は負方向に変化して制御電圧がかわり、結果的に電圧制御発振器２５の発振周波数が９ＧＨｚとなるように制御される。
【手続補正４】
【補正対象書類名】明細書
【補正対象項目名】０００６
【補正方法】変更
【補正の内容】
【０００６】    
【発明が解決しようとする課題】
以上述べたアナログ位相同期発振器は、マイクロ波帯の通信機の局部発振信号源として使用されるが、基準発振信号の高調波を使用するので、使用する特定の高調波以外の多数がミキサダイオード対２３ｅと結合コンデンサ２６とを抜けて電圧制御発振器２５の出力側に現れ、此が妨害信号となって他の回路に飛び込む問題がある。特に、高い次数の高調波を使用する場合には大きな問題となる。
【手続補正５】
【補正対象書類名】明細書
【補正対象項目名】００１５
【補正方法】変更
【補正の内容】
【００１５】
そして、ステップリカバリダイオード３ｂの一端とミキサダイオード対３ｅの一端とが容量素子３ｆとインダクタンス素子ｇとからなる直列共振回路３ｈによって接続され、同様に、ステップリカバリダイオード３ｂの他端とミキサダイオード対３ｅの他端とが容量素子３ｆとインダクタンス素子３ｇとからなる直列共振回路３ｈによって接続される。直列共振回路３ｈ、３ｈは上記高調波うちの特定の高調波、例えば７５倍高調波（９ＧＨｚ）に共振する。そして、ミキサダイオード対３ｅの両端がそれぞれ抵抗３ｍ、３ｍによって接地される。
【手続補正６】
【補正対象書類名】明細書
【補正対象項目名】００１８
【補正方法】変更
【補正の内容】
【００１８】
以上の構成で、ステップリカバリダイオード３ｂから発生した高調波がミキサダイオード対３ｅに入力されるが、直列共振回路３ｈ、３ｈのために７５倍高調波が最も大きなレベルで入力され、その他の高調波のレベルは減衰する。一方、電圧制御発振器５から出力された発振信号もミキサダイオード対３ｅに入力される。すると、ミキサダイオード対３ｅでは高調波の位相と発振信号の位相とが所定の関係となったときに（周波数が同じ）二つのダイオードの接続点の電圧が０ボルトとなり、電圧制御発振器５には所定の制御電圧が供給される。そして、電圧制御発振器５は９ＧＨｚで発振する。もし、電圧制御発振器５の発振周波数が変化しよとすると、ミキサダイオード対３ｅの接続点の電圧が正又は負方向に変化して電圧制御発振器５の発振周波数が９ＧＨｚとなるように制御される。
【手続補正７】
【補正対象書類名】明細書
【補正対象項目名】００１９
【補正方法】変更
【補正の内容】
【００１９】
以上の構成では、直列共振回路３ｈ、３ｈによって特定の高調波（７５倍高調波）をミキサダイオード対３ｅに入力するようにしているので、その他の高調波は直列共振回路３ｈ、３ｈの共振特性に対応して減衰する。従って、７５倍高調波の近くの高調波はそれほど減衰しないでミキサダイオード対３ｅを通過する。しかし、比可逆回路素子であるアイソレータ６が設けられているので、７５倍高調波近くの他の高調波は電圧制御発振器５の出力側に漏洩しにくくなっている。  
以上のように、共振回路３ｅとアイソレータ６とによって基準発振信号の広い帯域にわたる特定の高調波以外の高調波は電圧制御発振器５の出力側には漏れにくい。
【手続補正８】
【補正対象書類名】明細書
【補正対象項目名】００２１
【補正方法】変更
【補正の内容】
【００２１】
広帯域増幅器６の伝送特性は図４に示すようになっており、２０ＧＨｚ以上まで良好なアイソレーションを有するので、電圧制御発振器５の出力側に漏れる特定の高調波以外の高調波を一層広帯域にわたって少なくすることが可能である。_  この構成によれば、ステップリカバリダイオード３ｂによって発生した７５倍高調波は直列共振回路３ｋに共振し、インダクタンス素子３ｊには大きな電圧が発生する。この電圧はステップリカバリダイオード３ｂで発生した電圧に対して直列共振回路３ｋにＱ倍となって現れる。従って、基準発振器１の出力パワーを減らしてもサンプリング位相検波器３における検波効率を高めることが可能となる。_  なお、図３の直列共振回路３ｋを図１の直列共振回路３ｈと置換しても何らさしつかえない。
【手続補正９】
【補正対象書類名】明細書
【補正対象項目名】００２６
【補正方法】変更
【補正の内容】
【００２６】
また、共振回路を直列共振回路で構成し、ステップリカバリダイオードとミキサダイオード対との各一端同士、及び各他端同士をそれぞれ直列共振回路によって接続したので、特定の高調波のみを簡単にミキサダイオード対に注入しやすい。
【手続補正１０】
【補正対象書類名】明細書
【補正対象項目名】図面の簡単な説明
【補正方法】変更
【補正の内容】
【図面の簡単な説明】
【図１】
本発明のアナログ位相同期発振器の構成図である。
【図２】  
図１のアナログ位相同期発振器に使用する非可逆回路素子の伝送特性図である。
【図３】
本発明のアナログ位相同期発振器の他の構成図である。    
【図４】  
図１のアナログ位相同期発振器の他の構成に使用する非可逆回路素子の伝送特性図である。
【図５】
従来のアナログ位相同期発振器の構成図である。
【手続補正１１】
【補正対象書類名】図面
【補正対象項目名】図１
【補正方法】変更
【補正の内容】
【図１】
2003152533.tif 000001
【手続補正１２】
【補正対象書類名】図面
【補正対象項目名】図３
【補正方法】変更
【補正の内容】
【図３】
2003152533.tif 000002
【手続補正１３】
【補正対象書類名】図面
【補正対象項目名】図５
【補正方法】変更
【補正の内容】
【図５】
2003152533.tif 000003